(57)【特許請求の範囲】
【請求項１】
液保持性の吸収体並びに該吸収体の肌対向面側に配置された表面シート及び該吸収体の非肌対向面側に配置された裏面シートを備えた縦長の吸収性本体と、該吸収性本体における排泄部対向部より長手方向後方に位置する後方部の長手方向に沿う両側部それぞれから幅方向外方に延出する一対の後方フラップとを有し、該吸収性本体の長手方向に沿う両側部それぞれの肌対向面に該吸収性本体の略全長に亘ってサイドシートが設けられた縦長の女性用吸収性物品であって、
前記吸収性本体に、幅方向に延びる第１及び第２折曲線が形成されており、両折曲線に沿って該吸収性本体を、肌対向面を内側にして折り畳み可能になされており、
前記第１折曲線は、前記第２折曲線に比して前記吸収性本体の長手方向前端に近く、両折曲線の間に前記排泄部対向部が存しており、
前記吸収体は、前記第１折曲線と前記第２折曲線との間に肌対向面側に隆起する中高部を有しており、
前記サイドシートの長手方向に沿う内側縁部に、弾性部材が伸長状態で配されており、該弾性部材の伸長力は２．５〜１０ｃＮであり、前記女性用吸収性物品の自然状態では少なくとも前記第１折曲線と前記第２折曲線との間において、該弾性部材の収縮により該サイドシートの該内側縁部側が前記吸収性本体の肌対向面から離間して起立し、
前記第１折曲線より長手方向前方に、前記弾性部材を含む前記サイドシートの前記内側縁部が前記表面シートに固定されて前側固定部が形成されていると共に、前記第２折曲線より長手方向後方に、前記弾性部材を含む前記サイドシートの前記内側縁部が前記表面シートに固定されて後側固定部が形成されており、
前記第１折曲線と前記前側固定部との離間長さは、１０〜２５ｍｍで且つ前記第２折曲線と前記後側固定部との離間長さに比して短く、
前記第２折曲線と前記後側固定部との離間長さは、該第２折曲線と前記吸収性本体の後端との離間長さの３５％以上を占め、
前記吸収体における前記中高部を除く部分のＪＩＳ  Ｌ１０９６に準じて測定される剛性値が４０ｃＮ以下である女性用吸収性物品。
【請求項２】
前記弾性部材は、前記サイドシートの前記内側縁部に１本配されている請求項１記載の女性用吸収性物品。
【請求項３】
前記サイドシートの前記内側縁部は、前記前側固定部と前記後側固定部との間においては他の部材に固定されていない請求項１又は２記載の女性用吸収性物品。
【請求項４】
前記後方フラップの非肌対向面に、該後方フラップを着衣に固定する粘着部が、前記後側固定部より長手方向後方に位置するように設けられている請求項１〜３の何れか一項に記載の女性用吸収性物品。
【請求項５】
生理用ナプキンである請求項１〜４の何れか一項に記載の女性用吸収性物品。
【発明の詳細な説明】
【技術分野】
【０００１】
本発明は、生理用ナプキン、パンティライナー、失禁パッド等の女性用吸収性物品（以下略して吸収性物品とも言う）に関する。
【背景技術】
【０００２】
従来、生理用ナプキン等の吸収性物品においては、吸収性本体の長手方向に沿う両側部に配されたサイドシートに弾性部材を伸長状態で固定して防漏壁を形成し、該防漏壁によって経血等の排泄された体液の幅方向外方への漏れを防ぐ技術が採用されている。例えば特許文献１には、弾性部材が伸長状態で配され該弾性部材の収縮により起立する起立部を有するサイドシートを、吸収性本体に固定して非起立部を形成するにあたり、該弾性部材を、該弾性部材に対して斜めに交差する複数の筋状固定部によって、サイドシート及び該吸収性本体を構成する表面シートに固定する技術が記載されている。特許文献１に記載の技術によれば、サイドシートに配された破断し易い弾性部材を破断することなく吸収性本体の前後域で固定でき、薄型の吸収体による着用感を損なうことのない柔軟な追従性を有する吸収性物品を提供し得るとされている。
【０００３】
また特許文献２には、防漏壁（バリヤーフラップ）の収縮が不十分となることにより肌側に十分に立ち上がらない不都合を解消するために、三つ折りにしたナプキンにおいて、その折曲線が防漏壁の弾性伸縮部を横切るようにし、ナプキンを自然状態に置いたときの弾性伸縮部の収縮を容易にする技術が記載されている。
【０００４】
また特許文献３には、着用中に着用者の体圧により防漏壁が倒れたり潰れたりして防漏壁の機能が充分に発現されない不都合を解消するために、着用時に着用者の液排泄部に対向配置される排泄部対向部と該排泄部対向部より背側に配される後方部との間に、防漏壁が起立していない中央固定部を設ける技術が記載されている。
【先行技術文献】
【特許文献】
【０００５】
【特許文献１】特開２０１１−１５２２７９号公報
【特許文献２】特許第３１６９３０４号公報
【特許文献３】特許第３９１９６３８号公報
【発明の概要】
【発明が解決しようとする課題】
【０００６】
弾性部材の収縮により起立可能なサイドシートを有する従来の吸収性物品においては、サイドシートを着用者の肌側に向かって十分な起立高さで起立させ、経血等の体液が着用者の肌を伝って後方に流れて漏れ出す、いわゆる伝い漏れを確実に防止する観点から、サイドシートの起立性を高めるべく、サイドシートに弾性部材が高伸長化された状態で固定されている。そのため、従来の吸収性物品は、一定の防漏効果を奏するものの、高伸長化された弾性部材の強い収縮力によって、特にその長手方向後方側が、着用者の股間部の外形形状の湾曲程度を超えて吸収性物品の肌対向面側に大きく湾曲し、身体に沿い難く、フィット性の点で改良の余地があった。このように、サイドシートの起立性と吸収性物品の身体への沿い易さとは相反する関係にあるところ、両特性を両立させ、後方部における伝い漏れを効果的に防止し得る吸収性物品は未だ提供されていない。
【０００７】
従って本発明の課題は、身体へのフィット性及びサイドシートの起立性に優れ、後方部において伝い漏れを起こし難い吸収性物品を提供することにある。
【課題を解決するための手段】
【０００８】
本発明者らは、就寝時等に長時間使用するのに適した生理用ナプキン、具体的には、前方（排泄部対向部）にウイング、後方に後方フラップが設けられ、且つ薄型で剛性の低い吸収体（繊維材料の積繊体を含まない吸収体）を備え、弾性部材の収縮により起立可能なサイドシートを有する生理用ナプキンについて種々検討した結果、該ナプキンを個装するための幅方向に延びる２本の折曲線を挟んで長手方向前方側と後方側とに、サイドシートにおける弾性伸縮性を有する部分を表面シートに固定してなる固定部を設け、且つそれら折曲線と固定部との位置関係を特定することにより、サイドシートの起立性とナプキンの身体への沿い易さとを両立させることが可能であることを知見した。
【０００９】
本発明は、液保持性の吸収体並びに該吸収体の肌対向面側に配置された表面シート及び該吸収体の非肌対向面側に配置された裏面シートを備えた縦長の吸収性本体と、該吸収性本体における排泄部対向部より長手方向後方に位置する後方部の長手方向に沿う両側部それぞれから幅方向外方に延出する一対の後方フラップとを有し、該吸収性本体の長手方向に沿う両側部それぞれの肌対向面に該吸収性本体の略全長に亘ってサイドシートが設けられた縦長の女性用吸収性物品であって、前記吸収性本体に、幅方向に延びる第１及び第２折曲線が形成されており、両折曲線に沿って該吸収性本体を、肌対向面を内側にして折り畳み可能になされており、前記第１折曲線は、前記第２折曲線に比して前記吸収性本体の長手方向前端に近く、両折曲線の間に前記排泄部対向部が存しており、前記吸収体は、前記第１折曲線と前記第２折曲線との間に肌対向面側に隆起する中高部を有しており、前記サイドシートの長手方向に沿う内側縁部に、弾性部材が伸長状態で配されており、前記女性用吸収性物品の自然状態では少なくとも前記第１折曲線と前記第２折曲線との間において、該弾性部材の収縮により該サイドシートの該内側縁部側が前記吸収性本体の肌対向面から離間して起立し、前記第１折曲線より長手方向前方に、前記弾性部材を含む前記サイドシートの前記内側縁部が前記表面シートに固定されて前側固定部が形成されていると共に、前記第２折曲線より長手方向後方に、前記弾性部材を含む前記サイドシートの前記内側縁部が前記表面シートに固定されて後側固定部が形成されており、前記第１折曲線と前記前側固定部との離間長さは、１０〜２５ｍｍで且つ前記第２折曲線と前記後側固定部との離間長さに比して短く、前記第２折曲線と前記後側固定部との離間長さは、該第２折曲線と前記吸収性本体の後端との離間長さの３５％以上を占める女性用吸収性物品を提供することにより、前記課題を解決したものである。
【発明の効果】
【００１０】
本発明によれば、身体へのフィット性及びサイドシートの起立性に優れ、後方部において伝い漏れを起こし難い女性用吸収性物品が提供される。
【図面の簡単な説明】
【００１１】
【図１】図１は、本発明の女性用吸収性物品の一実施形態である生理用ナプキンの各部の弾性部材を伸長させて平面状に拡げた展開状態を模式的に示す肌対向面側（表面シート側）の平面図である。
【図２】図２は、図１のＩ−Ｉ線断面を模式的に示す断面図である。
【図３】図３は、図１のＩＩ−ＩＩ線断面を模式的に示す断面図である。
【図４】図４は、図１に示す生理用ナプキンの自然状態における肌対向面側（表面シート側）を示す斜視図である。
【図５】図５は、本発明の女性用吸収性物品の他の実施形態である生理用ナプキンの模式的な平面図（図１相当図）である。
【発明を実施するための形態】
【００１２】
以下、本発明の女性用吸収性物品を、その好ましい一実施形態である生理用ナプキンに基づき図面を参照して説明する。本実施形態のナプキン１は、図１及び図２に示すように、液保持性の吸収体４並びに該吸収体４の肌対向面側に配置された表面シート２及び該吸収体４の非肌対向面側に配置された裏面シート３を備えた一方向に長い縦長の吸収性本体１０と、該吸収性本体１０における排泄部対向部Ｂより長手方向後方に位置する後方部Ｃの長手方向に沿う両側部それぞれから幅方向外方に延出する一対の後方フラップ７，７とを有し、該吸収性本体１０の長手方向に沿う両側部それぞれの肌対向面に該吸収性本体１０の略全長に亘ってサイドシート５が設けられており、一方向に長い縦長にである。ナプキン１は、更に、吸収性本体１０における排泄部対向部Ｂの長手方向に沿う両側部それぞれから幅方向外方に延出する一対のウイング６，６を有している。このような、後方フラップを有する生理用ナプキンは、就寝時等に長時間使用するのに適しており、夜用の生理用ナプキンとして特に有用である。
【００１３】
本明細書において、肌対向面は、女性用吸収性物品（生理用ナプキン）又はその構成部材（吸収性本体、サイドシート等）における、女性用吸収性物品の着用時に着用者の肌側に向けられる面であり、非肌対向面は、女性用吸収性物品又はその構成部材における、女性用吸収性物品の着用時に肌側とは反対側（下着等の着衣側）に向けられる面である。また、長手方向（図中のＸ方向）は、女性用吸収性物品又はその構成部材の長辺に沿う方向であり、幅方向（図中のＹ方向）は、該長手方向と直交する方向である。
【００１４】
更に説明すると、ナプキン１（吸収性本体１０）は、図１に示すように、長手方向Ｘに、着用時に着用者の腹寄りに配される前方部Ａと、排泄部対向部Ｂと、着用時に排泄部対向部Ｂより着用者の背中側に配される後方部Ｃとに区分される。本実施形態のナプキン１における排泄部対向部Ｂは、左右に一対のウイング６，６を有する部位である。尚、女性用吸収性物品（生理用ナプキン）がウイングを有しないものである場合、該女性用吸収性物品（生理用ナプキン）における排泄部対向部は、後述する中高部４２（上層吸収体４１）が存する部位、即ち、周辺部よりも厚みが厚く且つ肌対向面側に隆起している部位である。
【００１５】
吸収性本体１０は、ナプキン１の肌対向面を形成する表面シート２、ナプキン１の非肌対向面を形成する裏面シート３、及びこれら両シート２，３間に介在配置された吸収体４を具備している。
図２に示すように、表面シート２は、吸収体４の肌対向面の全域を被覆し、更に吸収体４の長手方向Ｘに沿う左右両側縁から幅方向Ｙの外方に延出している。
裏面シート３は、吸収体４の非肌対向面の全域を被覆し、更に吸収体４の長手方向Ｘに沿う左右両側縁から幅方向Ｙの外方に延出しており、その延出部と前述した表面シート２の延出部とが、接着剤、ヒートシール、超音波シール等の公知の接合手段によって互いに接合されている。
また、表面シート２及び裏面シート３は、吸収体４の長手方向Ｘの前後端から長手方向Ｘの外方に延出し、それらの延出部において、公知の接合手段によって互いに接合されている。
吸収体４は、図１に示すように、平面視において角が丸みを帯びた略矩形形状をしている。表面シート２及び裏面シート３それぞれと吸収体４との間は接着剤によって接合されていても良い。
【００１６】
吸収性本体１０の肌対向面（表面シート２の肌対向面）における長手方向Ｘに沿う左右両側部には、図１に示すように、平面視において吸収体４の長手方向Ｘに沿う左右両側部に重なるように、一対のサイドシート５，５が吸収性本体１０の長手方向Ｘの略全長に亘って配されている。一対のサイドシート５，５は、それぞれ、排泄部対向部Ｂ並びに前方部Ａ及び後方部Ｃそれぞれの排泄部対向部Ｂ寄りの部分に亘って形成された平面視直線状の第１接合線１３と、該第１接合線１３の長手方向Ｘの前後に位置し且つ長手方向Ｘに交差するように延びる第２接合線１４とで吸収性本体１０に接合されている。
【００１７】
裏面シート３及びサイドシート５は、吸収体４の長手方向Ｘに沿う両側縁から幅方向Ｙの外方に延出してサイドフラップを形成している。前記サイドフラップは、図１に示すように、排泄部対向部Ｂにおいて幅方向Ｙの外方に向かって大きく張り出しており、これにより吸収性本体１０の左右両側に、一対のウイング６，６が延設されている。また、前記サイドフラップ部は、後方部Ｃにおいても幅方向Ｙの外方に向かって大きく張り出しており、これにより吸収性本体１０の左右両側に、一対の後方フラップ７，７が延設されている。
【００１８】
図１に示すように、吸収性本体１０には、幅方向Ｙに延びる第１折曲線１１及び第２折曲線１２が形成されており、両折曲線１１，１２に沿って吸収性本体１０を、肌対向面（表面シート２）を内側にして折り畳み可能になされている。第１折曲線１１は、第２折曲線１２に比して吸収性本体の長手方向Ｘの前端１０ａに近く、両折曲線１１，１２の間に排泄部対向部Ｂが存している。ナプキン１を個装形態に折り畳むには、第１折曲線１１より長手方向Ｘの前方側に位置する部位（前方部Ａ）を、表面シート２を内側にして該第１折曲線１１に沿って長手方向Ｘに折り曲げると共に、第２折曲線１２より長手方向Ｘの後方側に位置する部位（後方部Ｃ）を、表面シート２を内側にして該第２折曲線１２に沿って長手方向Ｘに折り曲げ、折り曲げた前方部Ａ及び後方部Ｃを、両折曲線１１，１２に挟まれた部位（排泄部対向部Ｂ）に重ねることによりナプキン１を三つ折りにする。
【００１９】
尚、本発明における折曲線（第１折曲線、第２折曲線）は、女性用吸収性物品（生理用ナプキン）の非肌対向面（裏面シート側）に必要に応じ個装フィルムを重ねた状態で、該女性用吸収性物品をその肌対向面（表面シート側）を内側にして折り畳んでなる個装体（例えば三つ折りや四つ折りの個装体）を形成する際に利用される折り曲げ部位であり、個装体形成後（折り畳み後）に該個装体を展開して女性用吸収性物品を広げた場合には、通常、その肌対向面に目視で線として現れる。折り曲げ部位が目視で線として現れない場合は、当該個装体を構成する女性用吸収性物品の折り曲げられていた部位を、本発明における折曲線とする。
【００２０】
吸収体４は、図１及び図２に示すように、第１折曲線１１と第２折曲線１２との間（排泄部対向部Ｂ）に、周辺部よりも厚みが厚く且つ表面シート２側（ナプキン１の肌対向面側）に隆起する中高部４２を有している。より具体的には、吸収体４は、平面視において角が丸みを帯びた略矩形形状で且つ前方部Ａから排泄部対向部Ｂを経て後方部Ｃに亘って延びる、下層吸収体４０と、下層吸収体４０よりも幅狭で且つ排泄部対向部Ｂにおいて下層吸収体４０の幅方向Ｙの中央部の肌対向面側に配置された、上層吸収体４１とを有しており、上層吸収体４１と下層吸収体４０との積層体が中高部４２を形成している。上層吸収体４１は、平面視において角が丸みを帯びた略矩形形状で、その長手方向を下層吸収体４０の長手方向に一致させて、下層吸収体４０上に配置されている。下層吸収体４０と上層吸収体４１との間は、接着剤によって接合されていても良い。
【００２１】
サイドシート５の長手方向Ｘに沿う内側縁部５１には、弾性部材９が伸長状態で配されている。本実施形態においては、サイドシート５は、図２に示すように、ナプキン１の幅方向Ｙの中央寄りに位置する部分５Ａが、シートの折り返しにより２層構造とされており、その折り返し部が、サイドシート５の長手方向Ｘに沿う内側縁部５１となっていて、該内側縁部５１に伸長状態で配された弾性部材９を有している。前記２層構造を構成するサイドシート５，５間は、接着剤によって接合されている。内側縁部５１は、図１に示すように、ナプキン１の幅方向Ｙの中央部側に、長手方向Ｘに延びる直線状に形成されている。サイドシート５における前記部分５Ａは、ナプキン１の長手方向Ｘの前後端部において、第２接合線１４及び他の公知の接合手段によって、表面シート２と共に裏面シート３に固定されている。また、サイドシート５における、前記部分５Ａよりナプキン１の幅方向Ｙの外方側に位置する部分５Ｂは、その前記部分５Ａ寄りの部分が、第１接合線１３によって表面シート２と共に裏面シート３に接合され、該部分以外の部分が、他の公知の接合手段によって裏面シート３に直接固定されている。
【００２２】
サイドシート５の内側縁部５１は、１本以上の弾性部材９が伸長状態で配されることによって伸縮性が付与された弾性伸縮部となっており、その伸縮方向は長手方向Ｘに一致している。弾性部材９は、吸収性本体１０の長手方向Ｘの略全長に亘って配されている。本実施形態においては、図１及び図２に示すように、弾性部材９は、サイドシート５の内側縁部５１に１本配されている。伸縮性を有するサイドシート５の内側縁部５１の伸長力（内側縁部５１に配された弾性部材９を伸長させてサイドシート５を平面状に拡げた状態での応力）は、弾性部材９の配置数に比例するところ、本実施形態においてはこのように弾性部材９の配置数が１本と最少に設定されているため、該伸長力（収縮力）が比較的低く抑えられている。
【００２３】
図１に示すように、ナプキン１の前方部Ａに位置する、サイドシート５の長手方向Ｘの前端部には、サイドシート５の内側縁部５１が第２接合線１４によって吸収性本体１０（表面シート２）に固定されて、前端部固定部５３が形成されており、また、ナプキン１の後方部Ｃに位置する、サイドシート５の長手方向Ｘの後端部には、サイドシート５の内側縁部５１が第２接合線１４によって吸収性本体１０（表面シート２）に固定されて、後端部固定部５４が形成されている。
【００２４】
本実施形態におけるサイドシート５は、前端部固定部５３及び後端部固定部５４に加えて、両固定部５３，５４間においても表面シート２に固定されている。即ち、図１に示すように、第１折曲線１１より長手方向Ｘの前方に、弾性部材９を含むサイドシート５の内側縁部５１が表面シート２に固定されて前側固定部５５が形成されていると共に、第２折曲線１２より長手方向Ｘの後方に、弾性部材９を含むサイドシート５の内側縁部５１が表面シート２に固定されて後側固定部５６が形成されている。前側固定部５５は、前端部固定部５３の長手方向Ｘの内方側の端部に連接されており、後側固定部５６は、後端部固定部５４の長手方向Ｘの内方側の端部に連接されている。両固定部５５，５６は、図１に示す如き平面視において何れも四角形形状をしている。
【００２５】
図３には、前側固定部５５の幅方向Ｙに沿う模式的な断面図が示されている。尚、図３では、右側の前側固定部５５のみを示しているが、左側の前側固定部５５も右側と同様に構成されている。前側固定部５５は、図３に示すように、弾性部材９を含むサイドシート５の内側縁部５１及びその近傍が、吸収性本体１０を構成する表面シート２の肌対向面に、接着剤やヒートシール等の公知の接合手段で接合され固定されて形成されている。本実施形態における前側固定部５５は、サイドシート５の内側縁部５１及びその近傍をその肌対向面側から加熱加圧（ヒートシール）して、該サイドシート５を吸収性本体１０に熱融着させることによって形成されている。後側固定部５６も、図３に示す前側固定部５５と同様に形成されている。
【００２６】
また、本実施形態においては、図１に示すように、サイドシート５の内側縁部５１は、前側固定部５５と後側固定部５６との間においては、表面シート２等の他の部材に固定されていない。
【００２７】
このように、長手方向Ｘに伸縮性を有する左右一対のサイドシート５の内側縁部５１，５１（弾性伸縮部）が、それぞれ、伸長状態で前端部固定部５３及び後端部固定部５４並びに前側固定部５５及び後側固定部５６で表面シート２（吸収性本体１０）に固定されており、且つ前側固定部５５と後側固定部５６との間においては他の部材に固定されていないことにより、ナプキン１の自然状態（各部の弾性部材が伸長されていない状態）では、サイドシート５は、これらの固定部５３〜５６より長手方向Ｘの内方に位置する、第１折曲線１１と第２折曲線１２との間（排泄部対向部Ｂ）において、弾性部材９の収縮によりサイドシート５の内側縁部５１側が、吸収性本体１０の肌対向面（表面シート２の肌対向面）から離間して起立する。
【００２８】
本実施形態におけるサイドシート５は、図４に示すように、前側固定部５５及び後側固定部５６に挟まれた部分、より具体的には、排泄部対向部Ｂ並びに前方部Ａ及び後方部Ｃそれぞれの排泄部対向部Ｂ寄りの部分（第１折曲線１１より長手方向Ｘの前方側から第２折曲線１２より長手方向Ｘの後方側に亘る領域）において、弾性部材９の収縮により、内側縁部５１側が第１接合線１３を起点として吸収性本体１０の肌対向面（表面シート２の肌対向面）から離間して起立する。このとき、ナプキン１は、弾性部材９の収縮によって、長手方向Ｘの全体形状が、肌対向面側（表面シート２側）に凹状に湾曲する。
【００２９】
ところで、着用者における生理用ナプキンがあてがわれる部位（股間部）の外形形状（輪郭線）は、通常、膣口等の排泄部及びその近傍は略平坦、排泄部から前側（腹側）にかけては鋭角に近い鈍角で湾曲、排泄部から後側（背側）にかけては該前側に比して緩やかに湾曲しており、着用者の股間部の前後方向の輪郭線の湾曲度合いは一様ではない。本実施形態のナプキン１の主たる特長の１つとして、股間部の斯かる外形形状に沿うように湾曲して高いフィット性が得られるようにすべく、２本の折曲線１１，１２と固定部５５，５６との位置関係を工夫している点が挙げられる。
【００３０】
即ち、本実施形態においては、第１折曲線１１と前側固定部５５との離間長さＬ１（図１参照）は、１０〜２５ｍｍで且つ第２折曲線１２と後側固定部５６との離間長さＬ２（図１参照）に比して短く、該離間長さＬ２は、第２折曲線１２と吸収性本体１０の後端１０ｂとの離間長さＬ３の３５％以上を占める。このように、サイドシート５の起立可能な部分の長さ（伸縮性を有する部分の長さ）を長手方向前側（前方部Ａ）と後側（後方部Ｃ）とで異ならせると、自然状態あるいは着用時において弾性部材９の収縮による各部の湾曲度合いが異なり、結果として、ナプキン１全体の湾曲度合いが、着用者の股間部の前後方向の輪郭線の湾曲度合いに一致し易くなり、且つサイドシート５の起立性が向上する。
【００３１】
特に、長手方向前側（前方部Ａ）におけるサイドシート５の起立可能な部分の長さに相当する、離間長さＬ１が、１０〜２５ｍｍと比較的短く設定されていることにより、前方部Ａは、自然状態あるいは着用時において弾性部材９の収縮により、図４に示す如く、排泄部対向部Ｂに対して鋭角又は鋭角に近い鈍角で立ち上がり、また特に、長手方向後側（後方部Ｃ）におけるサイドシート５の起立可能な部分の長さに相当する、離間長さＬ２が、離間長さＬ１に比して長く設定されていることにより、後方部Ｃは、自然状態あるいは着用時において弾性部材９の収縮により、図４に示す如く、排泄部対向部Ｂに対して鈍角で緩やかに立ち上がる。また、前述したように、排泄部対向部Ｂ（第１折曲線１１と第２折曲線１２との間）は、吸収体４の中高部４２を有していて、中高部４２を有していない他の部位に比して高剛性であるため、弾性部材９の収縮によっては湾曲し難く、そのため、自然状態あるいは着用時において、図４に示す如く略平坦となる。このように、ナプキン１は、自然状態あるいは着用時において、排泄部対向部Ｂは略平坦、排泄部対向部Ｂから前方部Ａにかけては鋭角又は鋭角に近い鈍角で湾曲、排泄部対向部Ｂから後方部Ｃにかけては前方部Ａ側に比して緩やかに湾曲するため、着用者の股間部の外形形状に沿うように湾曲し易くフィット性に優れ、また、サイドシート５の起立性にも優れる。
【００３２】
前述した作用効果をより確実に奏させるようにする観点から、離間長さＬ１は、好ましくは１２〜２５ｍｍ、更に好ましくは１２〜２０ｍｍであり、また、離間長さＬ２は、離間長さＬ３の３５〜６５％、特に３７〜５０％を占めることが好ましい。離間長さＬ３は、好ましくは８０〜１５５ｍｍ、更に好ましくは９５〜１４０ｍｍである。
【００３３】
また、同様の観点から、第１折曲線１１より長手方向Ｘの前方側に位置する部位（前方部Ａ）の重量Ａは、好ましくは０．８〜２．０ｇ、更に好ましくは１．０〜１．８ｇであり、第２折曲線１２より長手方向Ｘの後方側に位置する部位（後方部Ｃ）の重量Ｃは、好ましくは２．０〜５．０ｇ、更に好ましくは２．５〜４．５ｇであり、両折曲線１１，１２に挟まれた部位（排泄部対向部Ｂ）の重量Ｂは、好ましくは２．０〜５．５ｇ、更に好ましくは２．０〜５．０ｇである。また、重量Ａ〜Ｃの大小関係は、Ｂ＞Ｃ＞Ａとなっていることが好ましい。各部の重量が前記範囲にあり且つ斯かる大小関係が満たされていると、ナプキン１が着用者の股間部の外形形状により一層湾曲し易くなり、フィット性、サイドシート５の起立性、防漏性の点で良好な結果が得られる。
【００３４】
また、本実施形態においては、前述したように、サイドシート５の内側縁部５１に配されている弾性部材９の数が１本のみであることにより、弾性部材９の配置数が複数本である場合に比して、内側縁部５１の伸長力（収縮力）が比較的低く抑えられているため、前述した、２本の折曲線１１，１２と固定部５５，５６との位置関係の工夫によって、ナプキン１の湾曲度合いを所望の範囲に調整し易く、斯かる工夫によるフィット性及びサイドシート起立性の向上効果がより一層奏され易くなっている。
【００３５】
また、前述した、２本の折曲線１１，１２と固定部５５，５６との位置関係の工夫によって、ナプキン１の湾曲度合いを所望の範囲に調整し易くする観点から、弾性部材９は、ナプキン１の長手方向Ｘにおいて、比較的低い伸長力でサイドシート５の内側縁部５１に配されていることが好ましく、具体的には、弾性部材９の伸長力は、好ましくは２．５〜１０ｃＮ、更に好ましくは３．０〜７．５ｃＮである。弾性部材の伸長力は次のようにして測定される。
【００３６】
＜弾性部材の伸長力の測定方法＞
テンシロン引張試験機（型番ＲＴＡ−１００、（株）オリエンテック社製）を用い、チャック間隔５０ｍｍで測定対象の弾性部材（サイドシートの内側縁部に配されている弾性部材）を伸長前の自然状態で保持し、引張強度３００ｍｍ／ｍｉｎで引っ張って、該弾性部材が配されている吸収性物品の長手方向に対応する方向に伸長させる。初期チャック間隔５０ｍｍに対し、弾性部材の伸長率５％ごとの引張力を読み取り、引張曲線を作成する。作成した引張曲線を用い、弾性部材の伸長率の設計値（吸収性物品の製造時において弾性部材を所定の伸長率で配置するとき該伸長率）に対応する引張力を求め、それを当該弾性部材の伸長力とする。
【００３７】
また、前述した、２本の折曲線１１，１２と固定部５５，５６との位置関係の工夫による作用効果をより確実に奏させるようにするためには、吸収体４における中高部４２を除く部分（非中高部）が柔軟で、サイドシート５の内側縁部５１（弾性部材９）の収縮によって比較的湾曲され易いものであることが好ましく、より具体的には、該非中高部のＪＩＳ  Ｌ１０９６に準じて測定される剛性値が４０ｃN以下、特に１０〜４０ｃＮ、とりわけ１５〜３５ｃＮであることが好ましい。本実施形態においては、前述したように、中高部４２は下層吸収体４０上に上層吸収体４１を積層して形成されているので、下層吸収体４０のＪＩＳ  Ｌ１０９６に準じて測定される剛性値が４０ｃN以下であることが好ましい。吸収体の剛性は次のようにして測定される。
【００３８】
＜吸収体の剛性の測定方法＞
剛性の測定は、ＪＩＳ  Ｌ１０９６（一般織物試験方法）に規定された剛軟性測定方法に適合した、（株）大栄科学精器製作所製のハンドロメーター試験機を使用し、温度２３℃、湿度５０％ＲＨの環境下にて実施する。測定対象の吸収体から幅７５ｍｍ、長さ５０ｍｍ以上の矩形形状を切り出し、該矩形形状の切片を試験片とする。ハンドロメーター試験機における試料台のスロット間を２０ｍｍに調整し、試験片を、該試験片の測定部位がスロット間の中心に位置するように且つ吸収体の長手方向（吸収体が組み込まれている吸収性物品の長手方向）に沿う該試験片の長さがスロットに直交する方向と一致するようにして、該試料台上に水平に配置する。このとき、試験片は試料台上に固定せず、単に載置するのみである。試料台表面から８ｍｍ下方の位置（最下位置）まで下降するように調整したブレードを、試験片の上方から一定速度２００ｍｍ／ｍｉｎで下降させ、試験片を押圧した時の指示計（荷重計）の示す最高値（ｃＮ）を読み取る。測定を５回行いその平均値を算出して、当該吸収体の剛性値とする。
【００３９】
図１に示すように、一対のウイング６，６の非肌対向面には、それぞれ、該ウイング６を下着等の着衣に固定するウイング粘着部６１が設けられており、また、一対の後方フラップ７，７の非肌対向面には、それぞれ、該後方フラップ７を着衣に固定する後方フラップ粘着部７１が設けられている。両粘着部６１，７１は、それぞれ、平面視して矩形形状を有している。両粘着部６１，７１は、ホットメルト粘着剤を所定箇所に塗布することにより設けられており、ナプキン１の使用前においてはフィルム、不織布、紙等からなる図示しない剥離シートによって被覆されている。
【００４０】
本実施形態における後方フラップ粘着部７１は、図１に示すように、後側固定部５６より長手方向Ｘの後方に位置するように設けられている。このように、後方フラップ７を着衣に固定する粘着部７１が後側固定部５６より後方側に位置していると、着用時における後方フラップ７の着衣に対する固定状態がより安定するため、後方部Ｃにおける伝い漏れを一層効果的に防止し得る。粘着部７１による斯かる作用効果をより確実に奏させるようにする観点から、後側固定部５６の長手方向Ｘの前端（第２折曲線１２寄りの端）と粘着部７１との離間距離Ｌ４（図１参照）は、好ましくは３ｍｍ以上、更に好ましくは５〜２０ｍｍである。
【００４１】
本実施形態のナプキン１について更に説明すると、図１に示すように、ナプキン１の肌対向面（表面シート２の肌対向面）には、表面シート２と吸収体４とが裏面シート３側に一体的に凹陥してなる線状の溝部８が形成されている。溝部８においては、表面シート２及び吸収体４が熱融着等により一体化している。溝部８は、中高部４２を包囲するように形成されている。このように、ナプキン１の肌対向面に溝部８が形成されていることにより、吸収体４の平面方向の液の拡散が効果的に抑制されるようになり、また、吸収体４のヨレを防止できる。溝部８の形成は、経血等の排泄液の拡散防止、着用時の身体に対する密着性の向上等に特に有効である。溝部８は、熱を伴うか又は伴わないエンボス、あるいは超音波エンボス等のエンボス加工により常法に従って形成することができる。
【００４２】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性の材料や撥水性の材料を用いることができる。液不透過性の材料としては、樹脂フィルムや、微細孔を有し、透湿性を有する樹脂フィルム、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。
【００４３】
吸収体４（下層吸収体４０、上層吸収体４１）を構成する材料としては、当該技術分野において従来用いられている各種のものを特に制限なく用いることができ、例えば、木材パルプ、合繊繊維等の親水性繊維からなる繊維集合体、又は該繊維集合体に粒子状の吸水性ポリマーを保持させたもの等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、吸収体４は、前記繊維集合体等からなる液保持性の吸収性コアと、該吸収性コアを被覆する液透過性のコアラップシートとを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙、各種不織布、開孔フィルム等の透水性シートを用いることができる。
【００４４】
但し、前述したように、吸収体４（中高部４２を除く部分）としては、前記剛性値が４０ｃＮ以下と低剛性で柔軟なものが好ましく、斯かる観点から吸収体４（下層吸収体４０、上層吸収体４１）として好ましく用いられるものとしては、例えば、パルプ繊維の集合体に吸水性ポリマーを分散状態で固定（担持）させた吸収性シート、エアレイド法等の乾式法により製造された乾式パルプシート、２枚の不織布の間に粒子状の吸水性ポリマーを散布したもの等が挙げられる。吸収体４の中高部４２を除く部分の厚み（下層吸収体４０の厚み）は、比較的薄いことが好ましく、具体的には、２．５ｍｍ以下、特に０．４〜２．０ｍｍが好ましい。木材パルプ等の繊維材料を積繊してなる積繊体を含む吸収体は、総じて肉厚で剛性が高く、そのような剛性の高い吸収体をナプキン１に組み込むと、サイドシート５の内側縁部５１（弾性部材９）の収縮によってはナプキン１が湾曲し難いため、本発明では用いないことが好ましい。
【００４５】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアスルー不織布等の撥水性（疎水性）不織布が挙げられる。特に撥水性のエアスルー不織布を用いることが、肌触りのよさと横モレ防止の点から好ましい。また、サイドシート５に配される弾性部材９としては、当該技術分野において従来用いられている各種のものを特に制限なく用いることができ、糸状でも帯状でも良い。
【００４６】
本実施形態のナプキン１は、公知のウイング及び後方フラップを有する夜用の生理用ナプキンと同様に、下着等の着衣に装着して使用する。本実施形態のナプキン１を使用する際、一対のウイング６，６は、それぞれ、吸収性本体１０の非肌対向面側に折り返され、粘着部６１を介して着衣の非肌対向面（外面）に固定され、一対の後方フラップ７，７は、それぞれ、吸収性本体１０の非肌対向面側に折り返されず、その非肌対向面が広げられた状態で、粘着部７１を介して着衣の肌対向面（内面）に固定される。
【００４７】
本実施形態のナプキン１によれば、１）ナプキン１を個装する際に利用する２本の折曲線１１，１２とサイドシート５（内側縁部５１）の吸収性本体１０（表面シート２）に対する固定部５５，５６との位置関係が適切に調整されていること、及び２）両折曲線１１，１２の間に吸収体４の中高部４２が設けられていること等により、サイドシート５の起立性とナプキン１の身体への沿い易さとが両立されているため、優れたフィット性及び防漏性が奏され、後方部Ｃにおいて伝い漏れを起こし難い。また、本実施形態のナプキン１においては、前記１）及び２）に加えて更に、サイドシート５の内側縁部５１（弾性伸縮部）における弾性部材９の配置数が１本とされて、内側縁部５１の伸長力（収縮力）が比較的低く抑えられているため、前記作用効果がより確実に奏される。更に、本実施形態のナプキン１においては、後方フラップ粘着部７１が後側固定部５６より長手方向後方に位置するように設けられているため、後方フラップ７が下着等の着衣に対して安定的に固定され、前記１）及び２）の作用効果と相俟って、伝い漏れがより一層確実に防止される。
【００４８】
図５には、本発明の女性用吸収性物品の他の実施形態である生理用ナプキン１Ａが示されている。後述する他の実施形態については、前述した実施形態のナプキン１と異なる構成部分を主として説明し、同様の構成部分は同一の符号を付して説明を省略する。特に説明しない構成部分は、前記実施形態のナプキン１についての説明が適宜適用される。
【００４９】
ナプキン１Ａにおいては、図５に示すように、前側固定部５５と後側固定部５６との間で且つ第２折曲線１２より長手方向Ｘの後方に、サイドシート５の内側縁部５１が他の部材（表面シート２）に固定されて中間固定部５７が形成されている。中間固定部５７は、前側固定部５５や後側固定部５６と同様に、弾性部材９を含むサイドシート５の内側縁部５１及びその近傍が、吸収性本体１０を構成する表面シート２の肌対向面に、接着剤やヒートシール等の公知の接合手段で接合され固定されて形成されており、平面視四角形形状を有し、その断面視形状は、図３に示す前側固定部５５と略同じである。前側固定部５５と後側固定部５６との間に中間固定部５７が形成されていると、ナプキン１Ａが装着された際に、肌対向面から離間して起立したサイドシート５の内側縁部５１が外側にめくれる不都合がより効果的に防止される。斯かる作用効果をより確実に奏させるようにする観点から、第２折曲線１２と中間固定部５７との離間長さＬ５（図５参照）は、好ましくは３０〜６０ｍｍ、更に好ましくは３５〜５５ｍｍである。また、離間長さＬ５は、第２折曲線１２と後側固定部５６との離間長さＬ２（図５参照）の３０〜８０％、特に４０〜７０％を占めることが好ましい。ナプキン１Ａによっても、前述したナプキン１（図１参照）と同様の効果が奏される。
【００５０】
以上、本発明をその好ましい実施形態に基づき説明したが、本発明は前記実施形態に制限されない。例えば、ナプキン１は、ウイング６を有しないものであっても良い。また、本発明の女性用吸収性物品は、生理用ナプキンの他、パンティライナー（おりものシート）、失禁パッド等にも適用できる。
【実施例】
【００５１】
以下、本発明を実施例により更に具体的に説明するが、本発明は斯かる実施例に限定されるものではない。
【００５２】
〔実施例１〕
図１〜図３に示す生理用ナプキン１と概ね同じ構成を有する生理用ナプキンを製造し、これを実施例１のサンプルとした。表面シートとしては、坪量２５ｇ／ｍ2のエアスルー不織布（花王株式会社製「ロリエＳｐｅｅｄ＋スリムガード」に使用）を用いた。裏面シートとしては、坪量３５ｇ／ｍ2の液不透過性且つ透湿性のポリエチレン製樹脂フィルム（炭酸カルシウム配合）を用いた。サイドシートとしては、坪量２０ｇ／ｍ2のスパンボンド不織布を用いた。一対のサイドシートそれぞれの内側縁部には１本の糸状の弾性部材を配し、且つ該弾性部材の伸長力を４．０ｃＮに設定した。吸収体としては、下層吸収体及び上層吸収体それぞれの素材として、パルプ繊維の集合体に吸水性ポリマーを分散状態に固定させた吸収性シート（花王株式会社製「ロリエＳｐｅｅｄ＋スリムガード」に使用の吸収性シート）を用いた。下層吸収体の素材とした吸収性シートは、坪量７５ｇ／ｍ2、幅１５８ｍｍ、長さ２７０ｍｍであり、該吸収性シートを、１５８ｍｍの幅が７５ｍｍになるように、幅方向略中央付近で重なり合うように幅方向に二つ折りし、この二つ折りされた吸収性シート（厚み１．０ｍｍ、剛性値３０ｃＮ）を下層吸収体とした。また、上層吸収体の素材とした吸収性シートは、坪量８０ｇ／ｍ2、幅９０ｍｍ、長さ９０ｍｍであり、該吸収性シートを、９０ｍｍの幅が３５ｍｍになるように、幅方向略中央付近で重なり合うように幅方向に二つ折りし、この二つ折りされた吸収性シート（厚み１．５ｍｍ、剛性値２０ｃＮ）を上層吸収体とした。
【００５３】
〔実施例２〜４及び比較例１〜４〕
各部の長さ（前記離間長さＬ１，Ｌ２等）や中間固定部の有無等を下記表１に示すように変更した以外は実施例１と同様にして生理用ナプキンを製造し、それらを実施例２〜４及び比較例１〜４のサンプルとした。中間固定部を有するサンプル（実施例２及び比較例２）において、第２折曲線と中間固定部との離間長さＬ５（図５参照）は５０ｍｍ、第２折曲線と後側固定部との離間長さＬ２（図５参照）に占める離間長さＬ５の割合は６０％とした。また、吸収体の中高部を有しないサンプル（比較例１）において、吸収体としては、実施例１における下層吸収体のみを用いた。
【００５４】
〔評価〕
実施例及び比較例の各サンプル（生理用ナプキン）について、サイドシート起立性、後斜め漏れ防止性（後方部における伝い漏れ防止性）、フィット性をそれぞれ下記方法によって評価した。それらの結果を下記表１に示す。
【００５５】
＜サイドシート起立性の評価方法＞
図１を参照しながら説明すると、各実施例及び比較例の生理用ナプキンを、第１折曲線１１及び第２折曲線１２に沿って肌対向面を内側にして折り畳んだ後、この三つ折りされた生理用ナプキンを展開して自然状態とする。そして、生理用ナプキンの自然状態において、１）第１折曲線１１と前側固定部５５との中間付近における、サイドシート５の表面シート２からの起立高さを測定し、その測定値に基づいて前方部Ａ（生理用ナプキンの長手方向前側）のサイドシート起立性を評価し、また、２）第２折曲線１２と後側固定部５６又は中間固定部５７（図５参照）との中間付近における、サイドシート５の表面シート２からの起立高さを測定し、その測定値に基づいて後方部Ｃ（生理用ナプキンの長手方向後側）のサイドシート起立性を評価した。サイドシート起立性の評価基準は、前方部Ａについては、６ｍｍ以上の場合を◎、３〜５ｍｍの場合を○、２ｍｍ以下の場合を△、ほとんど起立していない場合を×とし、また、後方部Ｃについては、７ｍｍ以上の場合を◎、４〜６ｍｍの場合を○、３ｍｍ以下の場合を△、ほとんど起立していない場合を×とした。尚、前方部Ａ、後方部Ｃそれぞれについて、測定は３回実施し、それらの平均値を前記測定値とした。
【００５６】
＜後斜め漏れ防止性の評価方法＞
各実施例及び比較例の生理用ナプキンを、女性が立っている状態の腰部部分を再現した、ナプキン装着用のアクリル樹脂製の透明なモデルに擬似的に装着した。斯かるナプキンの擬似的な装着には、生理用ショーツ〔花王株式会社製「ロリエアクティブガード（コットンフィール）」、Ｌサイズ〕を利用した。こうしてナプキンを擬似的に装着した透明なモデルを、評価台に寝た姿勢をとるように（生理用ショーツの側部接合線の角度と評価台とが約２５°の傾きとなるように）に置き、更に、４５°の斜面台に該モデルを沿わせることで、横向きに傾けた。モデルの股間部から注入速度（１ｇ／１０秒）で馬脱繊維血液を注入し、注入された馬脱繊維血液がナプキン後方側部から漏れ始めた時点での馬脱繊維血液の注入量（最大注入量）を測定し、該最大注入量に基づいて後斜め防止性を評価した。後斜め漏れ防止性の評価基準は、最大注入量が１０ｇ以上の場合を◎、最大注入量が８ｇ以上１０ｇ未満の場合を○、最大注入量が５ｇ以上７ｇ以下の場合を△、最大注入量が４ｇ以下の場合を×とした。尚、各サンプルにつき測定は３回実施し、それらの平均値を前記最大注入量とした。
【００５７】
＜フィット性の評価方法＞
図１を参照しながら説明すると、各実施例及び比較例の生理用ナプキンを、第１折曲線１１及び第２折曲線１２に沿って肌対向面を内側にして折り畳んだ後、この三つ折りされた生理用ナプキンを展開し、該生理用ナプキンを手で軽く押さえながら、女性が立っている状態の腰部部分を再現した、ナプキン装着用のアクリル樹脂製の透明なモデルに沿わせ、該生理用ナプキンの湾曲した形状が該モデルに合っているかを目視にて観察し、下記評価基準によりフィット性を評価した。尚、各サンプルにつき評価は３回実施し、それらの平均を当該サンプルのフィット性の最終評価とした。
フィット性の評価基準：
◎：前方部Ａ〜後方部Ｃ（全域）にかけて生理用ナプキンの湾曲状態が透明なモデルの形状に合っている。
○：前方部Ａ〜後方部Ｃ（全域）にかけて生理用ナプキンの湾曲状態が透明なモデルの形状にほぼ合っている。
△：前方部Ａ又は後方部Ｃの何れか一方のみが透明なモデルの形状に合っている。
×：前方部Ａ及び後方部Ｃ何れも透明なモデルの形状に合っていない。
【００５８】
【表１】
0005843598.tif 000002
【００５９】
表１に示す通り、実施例の生理用ナプキンは何れも、前方部及び後方部におけるサイドシート起立性、後斜め防止性並びにフィット性に優れるものであった。これに対し、比較例１及び２の生理用ナプキンは、主として、第２折曲線と後側固定部との離間長さＬ２（図１参照）が、該第２折曲線と吸収性本体の後端との離間長さＬ３（図１参照）の３５％未満であるため、後方部のサイドシート起立性が良好とは言い難く、後斜め漏れ防止性及びフィット性に劣る結果となった。また、比較例３及び４の生理用ナプキンは、主として、第１折曲線と前側固定部との離間長さＬ１（図１参照）が１０〜２５ｍｍの範囲外であるため、フィット性に劣る結果となった。以上のことから、身体へのフィット性及びサイドシートの起立性に優れ、後方部において伝い漏れを起こし難い女性用吸収性物品を得るためには、離間長さＬ３に占める離間長さＬ２の割合が３５％以上であること、及び離間長さＬ１が１０〜２５ｍｍの範囲内であることが重要であることがわかる。
【符号の説明】
【００６０】
１，１Ａ  生理用ナプキン（女性用吸収性物品）
２  表面シート
３  裏面シート
４  吸収体
４０  下層吸収体
４１  上層吸収体
４２  中高部
５  サイドシート
５１  サイドシートの内側縁部
５３  サイドシートの前端部固定部
５４  サイドシートの後端部固定部
５５  サイドシートの前側固定部
５６  サイドシートの後側固定部
５７  サイドシートの中間固定部
６  ウイング
６１  ウイング粘着部
７  後方フラップ
７１  後方フラップ粘着部
９  弾性部材
１０  吸収性本体
１１  第１折曲線
１２  第２折曲線
１３  第１接号線
１４  第２接合線
Ａ  前方部
Ｂ  排泄部対向部
Ｃ  後方部
【図１】
0005843598.tif 000003
【図２】
0005843598.tif 000004
【図３】
0005843598.tif 000005
【図４】
0005843598.tif 000006
【図５】
0005843598.tif 000007